(57)【要約】【課題】小型で、微量な試料であっても、高精度に試料のヘモグロビン濃度を測定可能なヘモグロビン測定装置を実現する。【解決手段】シリコン基板４の表面には第１の電極（作用極）１と第２の電極（参照極）２が形成され、反応容器３は作用極１と参照極２の双方と接触する。反応容器３に試料が導入されると両電極間１、２が試料を通じて導通し、外部から電圧、電流を供給することなく酸化還元電位を生じる。この酸化還元電位を電圧計６で測定し、ネルンストの式によりヘモグロビン濃度を算出する。したがって、２つの電極間に電力を供給するための電源が不要であり、かつ、微量な試料であっても測定可能であるため、小型で微量な試料であっても高精度に試料のヘモグロビン濃度を測定可能なヘモグロビン測定装置を実現することができる。【選択図】図１
2010002401.tif 000002
【特許請求の範囲】
【請求項１】
試料溶液中に含まれるヘモグロビン濃度を測定するヘモグロビン濃度測定方法において、
互いに近接して離間された作用電極と参照電極とを、試料溶液を介して電気的に導通させ、
上記作用電極と参照電極との間に発生する電圧を測定し、
測定した電圧に基づいて、上記試料溶液中のヘモグロビン濃度を算出することを特徴とするヘモグロビン濃度測定方法。
【請求項２】
請求項１記載のヘモグロビン濃度測定方法において、上記試料溶液に測定試薬が導入されることを特徴とするヘモグロビン濃度測定方法。
【請求項３】
請求項２記載のヘモグロビン濃度測定方法において、上記測定試薬は、溶血剤、メディエータ又はｐＨ緩衝試薬が含まれることを特徴とするヘモグロビン濃度測定方法。
【請求項４】
請求項３記載のヘモグロビン濃度測定方法において、上記溶血剤は、イオン性又は非イオン性の界面活性剤、有機溶媒、塩又は酵素であり、上記メディエータは、ヘモグロビンと酸化還元反応を行う金属塩、金属錯体、キノン系化合物、ベンゾフェノン又はフェリシアン化合物であり、上記ｐＨ緩衝液は、リン酸緩衝液であることを特徴とするヘモグロビン濃度測定方法。
【請求項５】
請求項４記載のヘモグロビン濃度測定方法において、上記界面活性剤は、ポリオキシエチレンオクチルフェニルエーテル、ラウリル硫酸ナトリウム、又はサポニンであり、上記有機溶媒は、ホルムアルデヒド、ヘキサン、又はアセトンであり、上記塩は、塩化アンモニウム、又は塩化アルミニウムであることを特徴とするヘモグロビン濃度測定方法。
【請求項６】
請求項１記載のヘモグロビン濃度測定方法において、上記作用電極は、銅、白金、銀、金、パラジウム、ルテニウム、ロジウム、イリジウム、カーボン、又はフェロセニルアルカンチオールの単分子膜成分により表面を絶縁した金電極であり、上記参照電極は、Ａｇ／ＡｇＣｌ電極であることを特徴とするヘモグロビン濃度測定方法。
【請求項７】
請求項１記載のヘモグロビン濃度測定方法において、上記参照電極と互いに近接して離間して補助電極を配置し、この補助電極と上記参照電極とを上記試料溶液を介して導通させ、上記補助電極と参照電極との間に発生する電圧を基準電圧として測定し、上記作用電極と参照電極との間に発生した電圧を、上記基準電圧により補正することを特徴とするヘモグロビン濃度測定方法。
【請求項８】
請求項７記載のヘモグロビン濃度測定方法において、上記作用電極及び補助電極は、銅、白金、銀、金、パラジウム、ルテニウム、ロジウム、イリジウム、カーボン、又はフェロセニルアルカンチオールの単分子膜成分により表面を絶縁した金電極であり、上記参照電極は、Ａｇ／ＡｇＣｌ電極であることを特徴とするヘモグロビン濃度測定方法。
【請求項９】
請求項２記載のヘモグロビン濃度測定方法において、上記試料溶液及び測定試薬は、反応容器に収容され、この反応容器を上記作用電極と参照電極とを接触させることにより上記試料溶液を介して上記作用電極と参照電極とが電気的に導通させることを特徴とするヘモグロビン濃度測定方法。
【請求項１０】
請求項９記載のヘモグロビン濃度測定方法において上記反応容器は、繊維集合体、不織布、多孔質材料又はゲルであることを特徴とするヘモグロビン濃度測定方法。
【請求項１１】
試料溶液中に含まれるヘモグロビン濃度を測定するヘモグロビン濃度測定装置において、
互いに近接して離間された作用電極及び参照電極と、
上記作用電極及び参照電極が配置される基板と、
試料溶液を収容し、上記作用電極と参照電極とに接触し、上記作用電極と参照電極とを電気的に導通させる反応容器と、
上記基板に配置された作用電極と参照電極との間の電圧を計測する電圧計と、
を備えることを特徴とするヘモグロビン濃度測定装置。
【請求項１２】
請求項１１記載のヘモグロビン濃度測定装置において、上記反応容器には測定試薬が収容されていることを特徴とするヘモグロビン濃度測定装置。
【請求項１３】
請求項１２記載のヘモグロビン濃度測定装置において、上記測定試薬は、溶血剤、メディエータ又はｐＨ緩衝試薬が含まれることを特徴とするヘモグロビン濃度測定装置。
【請求項１４】
請求項１３記載のヘモグロビン濃度測定装置において、上記溶血剤は、イオン性又は非イオン性の界面活性剤、有機溶媒、塩又は酵素であり、上記メディエータは、ヘモグロビンと酸化還元反応を行う金属塩、金属錯体、キノン系化合物、ベンゾフェノン又はフェリシアン化合物であり、上記ｐＨ緩衝液は、リン酸緩衝液であることを特徴とするヘモグロビン濃度測定装置。
【請求項１５】
請求項１４記載のヘモグロビン濃度測定装置において、上記界面活性剤は、ポリオキシエチレンオクチルフェニルエーテル、ラウリル硫酸ナトリウム、又はサポニンであり、上記有機溶媒は、ホルムアルデヒド、ヘキサン、又はアセトンであり、上記塩は、塩化アンモニウム、又は塩化アルミニウムであることを特徴とするヘモグロビン濃度測定装置。
【請求項１６】
請求項１１記載のヘモグロビン濃度測定装置において、上記作用電極は、銅、白金、銀、金、パラジウム、ルテニウム、ロジウム、イリジウム、カーボン、又はフェロセニルアルカンチオールの単分子膜成分により表面を絶縁した金電極であり、上記参照電極は、Ａｇ／ＡｇＣｌ電極であることを特徴とするヘモグロビン濃度測定装置。
【請求項１７】
請求項１１記載のヘモグロビン濃度測定装置において、
上記基板に配置され、上記参照電極と互いに近接して離間する補助電極と、
上記補助電極と上記参照電極とを上記試料溶液を介して導通させる補助容器と、
を備え、上記補助電極と参照電極との間に発生する電圧を基準電圧として測定し、上記作用電極と参照電極との間に発生した電圧を、上記基準電圧により補正することを特徴とするヘモグロビン濃度測定装置。
【請求項１８】
請求項１７記載のヘモグロビン濃度測定装置において、上記作用電極及び補助電極は、銅、白金、銀、金、パラジウム、ルテニウム、ロジウム、イリジウム、カーボン、又はフェロセニルアルカンチオールの単分子膜成分により表面を絶縁した金電極であり、上記参照電極は、Ａｇ／ＡｇＣｌ電極であることを特徴とするヘモグロビン濃度測定装置。
【請求項１９】
請求項１２記載のヘモグロビン濃度測定装置において、上記反応容器は、繊維集合体、不織布、多孔質材料又はゲルであることを特徴とするヘモグロビン濃度測定装置。
【請求項２０】
試料溶液中に含まれるヘモグロビン濃度を測定するヘモグロビン濃度測定装置において、
互いに近接して離間された作用電極及び参照電極と、
上記作用電極及び参照電極が配置され、試料溶液を収容する測定容器と、
上記測定容器に配置された作用電極と参照電極との間の電圧を計測する電圧計
と、
上記電圧計により計測された電圧をヘモグロビン濃度に変換するヘモグロビン濃度変換部と、
上記ヘモグロビン濃度変換部により変換されたヘモグロビン濃度を表示する表示部と、
上記測定容器に試料溶液を吐出するノズルと、
上記ノズルを移動させると共に上記ノズルから試料溶液を吐出させるノズル駆動部と、
上記電圧計、上記ヘモグロビン濃度変換部、上記表示部、及び上記ノズル駆動の動作を制御する動作制御部と、
を備えることを特徴とするヘモグロビン濃度測定装置。
【発明の詳細な説明】
【技術分野】
【０００１】
本発明は、ヘモグロビン測定方法および測定装置に関する。
【背景技術】
【０００２】
糖尿病診断の検査項目として血液中のＨｂＡ１ｃの測定が重要視されつつある。診療上は血中の総ヘモグロビン（Ｈｂ）の濃度に対するＨｂＡ１ｃの割合が判断基準となることから、総Ｈｂの簡便な測定法が求められている。
【０００３】
現在、Ｈｂの測定にはクロマトグラフィーや吸光光度計による方法が多く用いられている。
【０００４】
しかしながら、どちらの方法においても測定の原理上、装置の小型化が難しく、試料の前処理など煩雑な操作が必要であるという問題があった。
【０００５】
一方、平易な操作、小型の装置で測定可能な方法として、Ｈｂの還元性を利用して酸化還元反応により生じる電流を電極にて検知し、電流値からＨｂ濃度を定量するセンサ方式が知られている（特許文献１）。
【０００６】
この特許文献１に開示された測定方法では、Ｈｂとの反応で還元されたメディエータ分子に電圧を印加し、電圧印加によりメディエータが酸化される際に流れる電流を計測している。Ｈｂのセンサによる測定では、小型の装置で簡便に定量が可能なため、現在用いられているクロマトグラフィーや吸光光度計を用いる方法と比べて容易にＨｂ測定が行える。
【０００７】
【特許文献１】特表２００４−５０４６０４号公報
【発明の開示】
【発明が解決しようとする課題】
【０００８】
しかしながら、特許文献１に示すような電流計測による測定方式では、電流値が電極の面積や試料量に比例するため、高精度に試料を測定するためには、電極の面積を大とし、試料量を多くしなければならず、測定装置の小型化や試料量の微量化を図ることが困難であった。
【０００９】
本発明の目的は、小型で、微量な試料であっても、高精度に試料のヘモグロビン濃度を測定可能なヘモグロビン測定方法及び装置を実現することである。
【課題を解決するための手段】
【００１０】
上記目的を達成するため、本発明は次のように構成される。
【００１１】
本発明のヘモグロビン濃度測定方法は、互いに近接して離間された作用電極と参照電極とを、試料溶液を介して電気的に導通させ、上記作用電極と参照電極との間に発生する電圧を測定し、測定した電圧に基づいて、上記試料溶液中のヘモグロビン濃度を算出する。
【００１２】
また、本発明のヘモグロビン濃度測定装置は、互いに近接して離間された作用電極及び参照電極と、上記作用電極及び参照電極が配置される基板と、試料溶液を収容し、上記作用電極と参照電極とに接触し、上記作用電極と参照電極とを電気的に導通させる反応容器と、上記基板に配置された作用電極と参照電極との間の電圧を計測する電圧計とを備える。
【００１３】
また、本発明のヘモグロビン濃度測定装置は、互いに近接して離間された作用電極及び参照電極と、上記作用電極及び参照電極が配置され、試料溶液を収容する測定容器と、上記測定容器に配置された作用電極と参照電極との間の電圧を計測する電圧計と、上記電圧計により計測された電圧をヘモグロビン濃度に変換するヘモグロビン濃度変換部と、上記ヘモグロビン濃度変換部により変換されたヘモグロビン濃度を表示する表示部と、上記測定容器に試料溶液を吐出するノズルと、上記ノズルを移動させると共に上記ノズルから試料溶液を吐出させるノズル駆動部と、上記電圧計、上記ヘモグロビン濃度変換部、上記表示部、及び上記ノズル駆動の動作を制御する動作制御部とを備える。
【発明の効果】
【００１４】
本発明によれば、小型で、微量な試料であっても、高精度に試料のヘモグロビン濃度を測定可能なヘモグロビン測定方法及び装置を実現することができる。
【発明を実施するための最良の形態】
【００１５】
以下、本発明の実施形態について、添付図面を参照して説明する。
【００１６】
図１は、本発明の第１の実施形態であるヘモグロビン測定方法及び装置の説明図である。図１の（Ａ）は、ヘモグロビン測定装置の平面及び側面を示し、図１の（Ｂ）は、反応容器（測定容器）３をシリコン基板４から分離した状態を示している。
【００１７】
シリコン基板４の表面には、第１の電極１と第２の電極２が形成されている。シリコン基板４上に二箇所の絶縁部位を形成し、絶縁部位上にスパッタリングにより金被膜を施すことで第１の電極１と、第２の電極２が形成される。
【００１８】
第１の電極１は金−チオール結合によりフェロセニルアルカンチオールが固定化され作用極として機能する。第２の電極にはＡｇ／ＡｇＣｌペーストが塗布され固定化されることで参照極として機能する。作用極１と参照極２とが近接して形成されており、作用極１と参照極２の双方と接触することができる形状に打ち抜かれた不織布が反応容器３として作用極および参照極上に設置される。
【００１９】
このため、反応容器３に試料が導入されることにより両電極間１、２が試料を通じて導通するよう設計されている。この場合、反応容器３は測定容器を兼ねる。反応容器３は、試料をその内部に吸収し、保持できるものであり、一度限りの使用として使い捨てとすることができるものである。
【００２０】
反応容器３には測定試薬（望ましい組成：リン酸緩衝液、ポリオキシエチレンオクチルフェニルエーテル、フェリシアン化カリウム）が乾燥状態で保持されており、１０マイクロリットル程度の全血試料の導入により、試料中の水分で溶解し、外部から電圧、電流を供給することなく、酸化還元電位を生じる。
【００２１】
なお、反応容器３にはピペット等により測定溶液が供給される。
【００２２】
第１の電極１及び第２の電極２は、電圧計６に接続され、電極１と電極２との間で発生した電圧が計測される。
【００２３】
電圧計６で計測された電圧に基づいて、試料中のヘモグロビン濃度が算出可能となる。つまり、次式（１）に示すネルンストの式により、測定電圧からヘモグロビン濃度を算出することができる。
【００２４】
Ｅ＝−５９・ｌｏｇ（Ｈｂ濃度）＋Ｅ０      ―――（１）
ただし、上記式（１）において、（−５９）は、定数（ｍＶ）であり、装置毎に設定される値であり、装置の感度に対応する数値である。また、Ｅ０は、標準電極電位であり、Ｅが計測電圧である。
【００２５】
以上のように、本発明の第１の実施形態によれば、２つの電極に試料を接触させ、酸化還元により両電極間に発生する酸化還元電位を計測し、計測した電位に基づいて、試料中のヘモグロビン濃度を算出するように構成したので、２つの電極間に電力を供給するための電源が不要であり、かつ、微量な試料であっても、測定可能であるため、小型で、微量な試料であっても、高精度に試料のヘモグロビン濃度を測定可能なヘモグロビン測定方法及び装置を実現することができる。
【００２６】
次に、本発明の第２の実施形態について説明する。図２は、本発明の第２の実施形態であるヘモグロビン測定方法及び装置の説明図である。図２の（Ａ）は、ヘモグロビン測定装置の平面及び側面を示し、図２の（Ｂ）は、反応容器（測定容器）３ａ、３ｂをシリコン基板４から分離した状態を示している。
【００２７】
本発明の第２の実施形態においては、測定試料以外の要因による電位の変化に伴う誤差補正のために、補助電極、つまり、第３の電極５が設けられている。温度や参照電極の劣化など、条件の変化により、測定電圧が、試料により発生する電圧から僅かに変化する。そこで、予め酸化還元電位が既知である基準溶液を測定することで、条件変化に伴う測定誤差を補正することができる。
【００２８】
図２において、第２の電極２は、第１の電極１と第３の電極５との間に配置され、第１の反応容器３ａは、第１の電極１と第２の電極２との両電極に接触するように配置される。
【００２９】
また、第２の反応容器（補助容器）３ｂは、第２の電極２と第３の電極５との両電極に接触するように配置される。
【００３０】
電圧計６は、第１の電極１と第２の電極２との間に発生する電圧を測定すると共に、第２の電極２と第３の電極５との間に発生する電圧を基準電圧として測定する。
【００３１】
反応容器３ａは、第１の実施形態における反応容器３と同様に、測定試料及び測定試薬が収容され、反応容器３ｂは、基準溶液が収容される。基準溶液が反応容器３ｂに導入され、第２の電極２と第３の電極５との両電極に接触されると、第２電極２と第３電極５との間に基準となる電圧が発生する。なお、基準溶液は、第２の反応容器３ｂに測定開始時に導入されても良いし、予め導入されていても良い。
【００３２】
第１の電極１と第２の電極との間で発生した電圧と、第２の電極２と第３の電極５の間で発生した電圧とを、電圧計６で測定して表示し、第１の電極１と第２の電極との間で発生した電圧を、第２の電極２と第３の電極５の間で発生した電圧により補正する。
【００３３】
測定試料以外の要因で電圧が変動することが考えられるが、第２の電極と第３の電極との間で発生する電圧を用いて、上記要因による誤差の低減を図ることができる。例えば、第１の電極１と第２の電極との間で発生した電圧から、第２の電極２と第３の電極５の間で発生した電圧を減算し、得られた電圧を用いて、測定試料中のヘモグロビン濃度を算出することができる。
【００３４】
以上のように、本発明の第２の実施形態によれば、第１の実施形態と同様な効果を得ることができる他、補助電極を追加することにより、測定試料以外の要因による電圧変化を除外することができるので、測定精度をより向上することができる。
【００３５】
図３は、本発明の第３の実施形態であるヘモグロビン測定装置の概略構成図である。この第３の実施形態は、測定試料を自動的に吸引し、測定容器に吐出し、測定した電圧に基づいて、自動的に測定試料中のヘモグロビン濃度を算出し、表示手段に表示する装置の例である。
【００３６】
図３において、測定容器７の底部には、第１の電極１と第２の電極とが近接して配置されている。電極１、２間の電圧は、電圧計６により測定され、測定された電圧は、Ｈｂ濃度変換部９に供給される。Ｈｂ濃度変換部９は、電圧計６から供給された電圧をネルンストの式に従って、ヘモグロビン濃度に変換する。そして、得られたヘモグロビン濃度を記憶部１０に格納するとともに、表示部１１に供給する。
【００３７】
動作制御部１２は、ノズル駆動部１３に指令信号を供給し、ノズル８の移動、試料吸引吐出動作を制御させる。また、動作制御部１２は、電圧計６、Ｈｂ濃度変換部９、記憶部１０、表示部１１の動作を制御する。
【００３８】
測定容器７には、ノズル８から、試料及び測定試薬が吐出されるように構成してもよいし、測定容器７内の電極１、２に接触する不織布（図１に示した反応容器３と同様なもの）を配置し、その不織布に試料を吐出するように構成してもよい。
【００３９】
また、複数の測定容器７を支持し、これらは測定容器７を試料吐出位置に連続して移動させる測定容器移動手段を備え、自動的に複数の測定試料を分析するように構成することもできる。
【００４０】
また、本発明の第２の実施形態のように、測定容器７内に補助電極を配置することもできる。
【００４１】
以上のように、本発明の第３の実施形態によれば、小型で、微量な試料であっても、高精度に試料のヘモグロビン濃度を自動的に測定可能なヘモグロビン測定装置を実現することができる。
【００４２】
なお、測定試料は測定開始前に抗凝固剤や溶血試薬により処理したものであってもよい。反応容器（測定容器）３、７に導入される試料液量は、１マイクロリットル以上が望ましく、最も望ましくは、５マイクロリットル以上である。反応容器（測定容器）３、７は、測定試料等が電極の作用極１と参照極２との一組と接触するように構成され、液体試料が導入されることで２つの電極１、２が導通し、回路が形成される。試料が液体でない場合には、水などの溶媒に溶解した後、反応容器（測定容器）３、７に導入されても良い。
【００４３】
反応容器（測定容器）３、７の形態は、試料および測定試薬を保持し、試料導入後に２つの電極１、２間を導通させることが出来ればよく、該当する構造としては作用極１と参照極２の一組を包括できる大きさの孔が設けられた容器、濾紙などの繊維集合体、不織布、多孔質材料、ゲルなどが含まれる。材料は電気的に不活性で、試料や電極に対しても不活性な材料であればよい。望ましくはポリ塩化ビニル、ポリイミド、ゼラチン、ガラス繊維などである。
【００４４】
反応容器（測定容器）３、７には測定試薬として、溶血剤とメディエータおよびｐＨ緩衝試薬が含まれる。また、反応容器（測定容器）３、７内には測定の妨害成分を除去するための妨害除去試薬が含まれていても良い。
【００４５】
溶血剤としては、イオン性または非イオン性の界面活性剤、有機溶媒、塩、酵素を用いることが出来る。界面活性剤としてはポリオキシエチレンオクチルフェニルエーテル、ラウリル硫酸ナトリウム、サポニンなどが望ましい。有機溶媒としては、ホルムアルデヒド、ヘキサン、アセトンなどが望ましい。塩としては、塩化アンモニウム、塩化アルミニウムなどが望ましい。より望ましい例は、ポリオキシエチレンオクチルフェニルエーテルである。この場合、望ましい濃度は１〜２０ｖ／ｖ％である。また、蒸留水により希釈されるなど塩濃度の変化により溶血を促してもよい。
【００４６】
メディエータとしては、Ｈｂと酸化還元反応を行うものであればよく、該当する化合物としては、金属塩、金属錯体、キノン系化合物やベンゾフェノンなどが利用できる。望ましくはフェリシアン化物である。メディエータの総濃度は想定されるＨｂ濃度の２倍以上の濃度とすることが望ましい。望ましい濃度は、１０〜５００ｍＭである。
【００４７】
ｐＨ緩衝試薬としては、試料添加後のｐＨを４．０〜８．０に維持し反応容器３、７や電極１、２、５、試料と反応しないものであれば限定されないが、グッド緩衝液などが用いることができる。反応に関わる最終的な濃度は５〜５００ｍＭ、より望ましくは、５０〜２００ｍＭである。望ましくはｐＨ６．５〜７．０のリン酸バッファが用いられる。
【００４８】
測定試薬の組成例としては、上述した例の他に、以下の例が挙げられる。
組成例１として、ＨＥＰＥＳ緩衝液、ラウリル硫酸ナトリウム、ベンゾキノンである。また、組成例２としては、トリス−ＨＣｌ緩衝液、サポニン、フェリシアン化カリウムである。
【００４９】
作用極１の材料には、例えば、銅、白金、銀、金、パラジウム、ルテニウム、ロジウムおよびイリジウム等の金属、カーボン、あるいはそれらの材料に表面処理を施した材料が挙げられる。最も望ましくは、フェロセニルアルカンチオール等の単分子膜形成により表面を絶縁した金電極である。また、試料中のタンパク質などの吸着を防止する目的で、表面親水化処理を施しても良い。参照極には、望ましくは、Ａｇ／ＡｇＣｌ電極が用いられる。
【００５０】
また、補助電極５は、望ましくは作用極１と同じ工程、組成で製作され、作用極１と同様の電気的な応答を示す。基準溶液には、一定の条件下における酸化還元電位が既知で、安定して電位が得られる試料であれば良く、例えば金属塩、金属錯体、キノン系化合物やベンゾフェノンおよびこれらの混合溶液が利用できる。
【００５１】
電圧計６は、高インピーダンスのものが望ましい。検出された電圧は、Ｈｂとの反応で還元されたメディエータの量に依存するため、予めキャリブレータにより作成された検量線を用いてＨｂ濃度を定量することができる。
【００５２】
望ましい形態では、Ｈｂ濃度を測定する場合には、赤血球を含む試料が反応容器（測定容器）３、７内に導入されると、溶血剤により赤血球中のＨｂが放出され、メディエータと酸化還元反応を起こし、メディエータが還元される。結果として生じる酸化型／還元型の濃度比に応じて作用極に電圧が生じ、この電圧から、予め作成された検量線を用いて全血中のＨｂ濃度を算出する。
【００５３】
次に、本発明の形態によるヘモグロビン測定値と、公知技術によるヘモグロビン測定値との相関を説明する。なお、全血試料１２０検体についてＨｂ濃度の測定を行った。多項目自動血球計数装置（ラウリル硫酸ナトリウム−ヘモグロビン法（ＳＬＳ−Ｈｂ法））を用いて測定を行い、図４に示すように相関性を評価した。
【００５４】
図４に示すように、グラフの相関係数Ｒ２＝０．９７６３、回帰直線ｙ＝１．０１６１Ｘ−０．９６２５と良好な相関関係が得られ、公知技術と同様にＨｂが測定可能であることが確認できた。
【００５５】
なお、測定においては本発明の最も望ましい形態を用いた。つまり、作用電極としてフェロセニルアルカンチオール修飾金電極、参照電極としてＡｇ／ＡｇＣｌ電極を使用し、測定試薬組成は、リン酸緩衝液、ポリオキシエチレンオクチルフェニルエーテル、フェリシアン化カリウムを使用した。
【００５６】
さらに、相関についての他の例につき説明する。この例も、全血試料１２０検体についてＨｂ濃度の測定を行った。図５に示すように、グラフの相関係数Ｒ２＝０．９０６１〜０．９２７９と良好な相関関係が得られ、従来法と同様にＨｂが測定可能であることが確認された。
【００５７】
図５に示した比較例１〜３は、本発明における例であり、比較例１は、作用電極をアミノアルカンチオール修飾金電極とし、参照電極をＡｇ／ＡｇＣｌ電極とし、測定試薬組成を、リン酸緩衝液、ポリオキシエチレンオクチルフェニルエーテル、フェリシアン化カリウムを用いた。
【００５８】
また、比較例２は、作用電極をフェロセニルアルカンチオール修飾金電極とし、参照電極をＡｇ／ＡｇＣｌ電極とし、測定試薬組成を、リン酸緩衝液、ポリオキシエチレンオクチルフェニルエーテル、ｐ−ベンゾキノンとした。
【００５９】
また、比較例３は、作用電極をフェロセニルアルカンチオール修飾金電極とし、参照電極をＡｇ／ＡｇＣｌ電極とし、測定試薬組成を、リン酸緩衝液、ドデシル硫酸ナトリウム、ｐ−ベンゾキノンとした。
【００６０】
次に、作用電極の種類によるＨｂ測定値の再現性について説明する。図６は、本発明の最も望ましい形態の作用電極及び比較例１、２（本発明）の作用電極を用いて、全血試料２０検体を測定したときの個別再現性（ＣＶ％）を示す。作用電極は、本発明の最も望ましい形態ではフェロセニルアルカンチオール修飾金電極であり、比較例１ではアミノアルカンチオール修飾金電極、比較例２では未修飾金電極である。そして、参照電極は、Ａｇ／ＡｇＣｌ電極、測定試薬組成は、リン酸緩衝液、ポリオキシエチレンオクチルフェニルエーテル、フェリシアン化カリウム、試料中のＨｂ濃度は、１１．５［ｇ／ｄＬ］とした。
【００６１】
図６に示すように、比較例１ではアミノアルカンチオール修飾金電極のメディエータに対する応答再現性がフェロセニルアルカンチオールと比較して低く、ＣＶ％にして倍近くまで再現性が低下した。比較例２では未修飾金電極を用いた結果、金材料が試料中の夾雑成分と直接反応し、さらに再現性が低下した。
【００６２】
以上の結果から、作用電極としてメディエータとの応答性が高く、試料中の夾雑物質との反応も低減されることからフェロセニルアルカンチオール修飾金電極が最も望ましい。
【００６３】
本発明によれば、血液試料中のＨｂを簡便かつ少ない試料量で定量することが出来、ＨｂＡ１ｃ測定と併せて、糖尿病などの臨床検査における患者への負担と操作の手間を低減することが出来る。
【図面の簡単な説明】
【００６４】
【図１】本発明の第１の実施形態であるヘモグロビン測定方法及び装置の説明図である。
【図２】本発明の第２の実施形態であるヘモグロビン測定方法及び装置の説明図である。
【図３】本発明の第３の実施形態であるヘモグロビン測定装置の説明図である。
【図４】本発明の一例によるヘモグロビン測定方法と公知技術によるヘモグロビン測定方法との相関を示すグラフである。
【図５】本発明の他の例によるヘモグロビン測定方法と公知技術によるヘモグロビン測定方法との相関を示す表である。
【図６】作用電極の種類によるＨｂ測定値の再現性を示す表である。
【符号の説明】
【００６５】
１・・・第１の電極、２・・・第２の電極、３、７・・・反応容器（測定容器）、３ａ・・・第１の反応容器、３ｂ・・・第２の反応容器、４・・・シリコン基板、５・・・第３の電極、６・・・電圧計、８・・・ノズル、９・・・Ｈｂ濃度変換部、１０・・・記憶部、１１・・・表示部、１２・・・動作制御部、１３・・・ノズル駆動部
【図１】
2010002401.tif 000003
【図２】
2010002401.tif 000004
【図３】
2010002401.tif 000005
【図４】
2010002401.tif 000006
【図５】
2010002401.tif 000007
【図６】
2010002401.tif 000008